(57)【要約】      （修正有）【課題】子供や老人でもプルタブを容易に確実に引き起して缶を開口することができ、また、缶の縁から飲料が零れるのを防止して安心して飲料を飲むことができるプルタブ型飲料缶を提供する。【解決手段】内部に液体を収容する缶本体２の上端に締着した蓋体３は、蓋板４を環状縁部５の上端から約７ｍｍの深さに位置させてある。蓋体３の略平坦に形成した蓋板４には、開口片切裂き用溝４Ｂが刻設してあり、略中央に位置してプルタブ６がリベット１０により固着してある。プルタブ６は、固定部７Ａと起立部７Ｂを略Ｌ字状に形成した高さ約３ｍｍの屈曲支持片７と、屈曲支持片７の上端から斜め下方に突出した切裂き部８と、屈曲支持片７から後方に突出した指掛け部９とからなる。指掛け部９は後端側９Ｂを斜め上方に湾曲させて蓋板４との間に指先差込空間Ｓが形成してある。【選択図】図２
0003186267.tif 000002
【実用新案登録請求の範囲】
【請求項１】
内部に液体を収容する缶本体と、該缶本体の上端側に締着する蓋体と、該蓋体に設けられ、引上げ操作により蓋体から開口片を切裂くことにより飲み口を開口させるプルタブとからなるプルタブ型飲料缶において、前記蓋体は、外周縁に溝を形成せずに略平坦に形成した蓋板と、該蓋板の周縁から所定の高さに起立して前記缶本体と締結する環状縁部と、前記蓋板に刻設した開口片切裂き用溝とから構成し、前記プルタブは、前記蓋板に鋲着されて所定高さ起立する屈曲支持片と、該屈曲支持片の上端から斜め下方に突出した切裂き部と、前記屈曲支持片の上端から該切裂き部の反対方向に突出した指掛け部とから構成することにより、前記プルタブと前記蓋板との間に指先差込空間を形成し、かつ該指掛け部は前記蓋体の上端内に収まる高さにしてあることを特徴とするプルタブ型飲料缶。
【請求項２】
内部に液体を収容する缶本体と、該缶本体の上端に締着する蓋体と、該蓋体に設けられ、引上げ操作により蓋体から開口片を切裂くことにより飲み口を開口させるプルタブとからなるプルタブ型飲料缶において、前記蓋体は、外周縁に溝を形成せずに略平坦に形成した蓋板と、該蓋板の周縁から所定の高さに起立して前記缶本体と締結する環状縁部と、前記蓋板の略中央に突設した支持用凸部と、前記蓋板に刻設した開口片切裂き用溝とから構成し、前記プルタブは、前記支持用凸部の上面に鋲着する屈曲支持片と、該屈曲支持片から斜め下方に突出した切裂き部と、前記屈曲支持片から該切裂き部の反対方向に突出した指掛け部とから構成することにより、前記プルタブと前記蓋板との間に指先差込空間を形成し、かつ該プルタブは前記蓋体の上端内に収まる高さにしてあることを特徴とするプルタブ型飲料缶。
【請求項３】
前記蓋板は、前記蓋体の上端から約７ｍｍの深さに位置させてあることを特徴とする請求項１記載のプルタブ型飲料缶。
【請求項４】
前記プルタブの屈曲支持片は、前記蓋板から上方に約３ｍｍ起立させてあることを特徴とする請求項１記載のプルタブ型飲料缶。
【請求項５】
前記蓋板の支持用凸部は、約３ｍｍの高さに形成してあることを特徴とする請求項２記載のプルタブ型飲料缶。
【請求項６】
前記プルタブは、前記蓋体の上端より上方に突出しない範囲で前記指掛け部の先端側を斜め上方に屈曲させてあることを特徴とする請求項１又は２記載のプルタブ型飲料缶。
【考案の詳細な説明】
【技術分野】
【０００１】
本考案は、ビール、コーヒー、ジュース等の各種飲料をプルタブを引き起して飲み口を開口させることで飲用できるプルタブ型飲料缶に関する。
【背景技術】
【０００２】
プルタブ型飲料缶は、上方が開口した缶本体と、該缶本体の上部を施蓋する蓋体とから構成し、蓋体の蓋板に飲み口の形状に切込みを形成した開口片と、梃子の原理により該切込みに沿って蓋板から開口片を切裂いて飲み口を開口させるプルタブとから構成することにより、オープナー等の道具が無くても誰でも開缶できるようにしてある。
【０００３】
しかし、蓋板とプルタブの指掛け部との隙間が１ｍｍ程度と小さいため、指先のほんの先端しか差し込めずに容易に引き起こせないし、指先が滑って指先や爪を痛めるという問題がある。また、付け爪をした若い女性の指先では小さい隙間に差し込めないためにプルタブを引き起こすことができないという問題もある。
【０００４】
そこで、プルタブ先端の下方位置にプルタブ先端が陥入し得る凹部を設け、該凹部は開口片の連接部分近傍を深くする形状とし、プルタブ先端が前記凹部に陥入し、プルタブ後端である指掛部と缶蓋の天板上面との間に間隙を形成し得るようにしてスコアーの初期破断を生じさせるようにした容易開口容器の缶蓋が提案されている（特許文献１）。
【先行技術文献】
【特許文献】
【０００５】
【特許文献１】実公昭６３−２３３１６号公報
【考案の概要】
【考案が解決しようとする課題】
【０００６】
しかし、上記特許文献１の技術は、プルタブ先端の下方位置にプルタブ先端が陥入し得る凹部を設けることで、ある程度引き上げたプルタブと蓋板との隙間が大きくなるようにしたもので、引き揚げる前の当初のプルタブは蓋板に密に近接しているから、指先を差し込むことが困難であるという従来の問題点は何ら解決していない。
【０００７】
また、従来のプルタブ型飲料缶は蓋板が凸湾曲状に隆起した形状にしてあり、飲み口が飲者の口に近いために飲み口から飲料が急に出たような場合、口で受けることができずに両脇から零れてしまうという問題、蓋体の上端と蓋板との空間が小さいため、飲料が蓋板の上に溢れて口の周りや衣類を汚すという問題がある。
【０００８】
本考案は上述した従来技術の諸欠点に鑑みなされたもので、プルタブの下に指先を十分に差し込むことのできる指先差込空間を形成し、子供や高齢者もプルタブを容易に、また誰もが指先を痛めることなく引き上げることができるし、飲料が缶の縁から零れて衣類等を汚す事態を防止して安心して飲用することができるようにしたプルタブ型飲料缶を提供することを目的とする。
【課題を解決するための手段】
【０００９】
上述した課題を解決するための請求項１に係る本考案を構成する手段は、内部に液体を収容する缶本体と、該缶本体の上端に締着する蓋体と、該蓋体に設けられ、引上げ操作により蓋体から開口片を切裂くことにより飲み口を開口させるプルタブとからなるプルタブ型飲料缶において、前記蓋体は、外周縁に溝を形成せずに略平坦に形成した蓋板と、該蓋板の周縁から所定の高さに起立して前記缶本体と締結する環状縁部と、前記蓋板に刻設した開口片切裂き用溝とから構成し、前記プルタブは、前記蓋板に鋲着されて起立する屈曲支持片と、該屈曲支持片の上端から斜め下方に突出した切裂き部と、前記屈曲支持片の上端から該切裂き部の反対方向に突出した指掛け部とから構成することにより、該指掛け部と前記蓋板との間に指先差込空間を形成し、かつ該指掛け部は前記蓋体の上端から突出しない高さにしたものからなる。
【００１０】
また、請求項２に係る本考案を構成する手段は、内部に液体を収容する缶本体と、該缶本体の上端に締着する蓋体と、該蓋体に設けられ、引上げ操作により蓋体から開口片を切裂くことにより飲み口を開口させるプルタブとからなるプルタブ型飲料缶において、前記蓋体は、外周縁に溝を形成せずに略平坦に形成した蓋板と、該蓋板の周縁から所定の高さに起立して前記缶本体と締結する環状縁部と、前記蓋板の略中央に突設した支持用凸部と、前記蓋板に刻設した開口片切裂き用溝とから構成し、前記プルタブは、前記支持用凸部の上面に鋲着する屈曲支持片と、該屈曲支持片から斜め下方に突出した切裂き部と、前記屈曲支持片から該切裂き部の反対方向に突出した指掛け部とから構成することにより、該指掛け部と前記蓋板との間に指先差込空間を形成し、かつ該指掛け部は前記蓋体の上端から突出しない高さにしたものからなる。
【００１１】
そして、前記蓋板は、前記蓋体の上端から約７ｍｍの深さに位置させるとよい。
【００１２】
また、前記プルタブの屈曲支持片は、前記蓋板から上方に約３ｍｍ起立させるとよい。
【００１３】
また、前記蓋板の支持用凸部は、約３ｍｍの高さに形成するとよい。
【００１４】
更に、前記プルタブは、前記蓋体の上端より上方に突出しない範囲で前記指掛け部の先端側を斜め上方に屈曲させるとよい。
【考案の効果】
【００１５】
本考案は上述の如く構成したから、下記の諸効果を奏する。
（１）プルタブは、指掛け部を蓋板から離間させて指掛け部の下側に指先差込空間を形成し、指先を十分に差し込んで指掛け部に確実に力を加えることができるようにしたから、開口操作が容易であるし、開口操作時に従来と異なって指先を痛めることもない。
（２）蓋板は外周縁に溝を形成せずに略平坦に形成し、上端から約７ｍｍ深くしたから、飲料が缶の縁から溢れるのを可及的に防止できるし、蓋板からプルタブを離して配置することができる。
（３）プルタブの屈曲支持片及び蓋板の支持用凸部は蓋板から上方に約３ｍｍ高く位置するようにしたから、プルタブを蓋板から十分に離間させて配置することができる。
（４）プルタブは蓋体の上端より上方に突出しない範囲で指掛け部を斜め上方に屈曲させ、蓋板との間に十分な指先差込空間を形成したから、プルタブの引上げ操作とこれに続いて蓋板から開口片を切り裂く操作を容易に、確実に行うことができる。
【図面の簡単な説明】
【００１６】
【図１】図１乃至図３は本考案の第１の実施の形態に係り、図１はプルタブ型飲料缶の平面図である。
【図２】図１中のＩＩ−ＩＩ矢示方向部分断面図である。
【図３】図１中のＩIＩ−ＩIＩ矢示方向部分断面図である。
【図４】図４乃至図７は本考案の第２の実施の形態に係り、図４はプルタブ型飲料缶の平面図である。
【図５】図４中のＶ−Ｖ矢示方向部分断面図である。
【図６】図４中のＶＩ−ＶＩ矢示方向部分断面図である。
【図７】支持用凸部と回動防止片の部分拡大図である。
【考案を実施するための形態】
【００１７】
以下、本考案の実施の形態を図面に基づき詳述する。図１乃至図３は第１の実施の形態を示す。図において、１はアルミニュウム製のプルタブ型飲料缶、２は該プルタブ型飲料缶１（以下、飲料缶１という。）を構成し、上方が開口した有底円筒状の缶本体で、該缶本体２は上端側２Ａが略逆し字状に外側に屈曲して後述する蓋体３と締着するようになっている。
【００１８】
３は前記缶本体２の上端側２Ａに嵌合して圧着した蓋体を示す。４は該蓋体３を構成する蓋板で、該蓋板４は従来の飲料缶と異なって外周縁に溝の無い全面が略平坦な円板からなり、中央部には輪郭が略Ｕ字状をした深さ約０.５ｍｍの液溜用の凹陥部４Ａ、該凹陥部４Ａ内の先端側に位置して略卵型の開口片切裂き用溝４Ｂ、後端側に位置して深さ約１ｍｍの横長凹状の指先逃げ部４Ｃ、略中央に位置して係止突起４Ｄが夫々成形してある。
【００１９】
５は蓋体３を構成し、蓋板４の周縁から所定の高さ、約７ｍｍ起立する環状縁部で、該環状縁部５は上端側５Ａを偏平の字状に折り曲げて形成してあり、缶本体２の上端側２Ａと係合して締着するシーム部になっている。
上記の構成からなる蓋体３は、缶本体２の上端側２Ａに嵌合し両上端側２Ａ，５Ａを係合した状態にして圧着することにより、缶本体２を密封した状態で締着してある。
【００２０】
６は蓋体３に鋲着したアルミニュウム製のプルタブを示す。７は該プルタブ６を構成する屈曲支持片で、該屈曲支持片７は前記係止突起４Ｄに嵌合する回動防止用孔７Ａ１を穿設し、蓋板４に鋲着される固定片部７Ａと、該固定片部７Ａから約３ｍｍ立ち上がった起立片部７Ｂとから略Ｌ字状に一体成形した形状からなり、起立片部７Ｂは指先の力で屈曲可能な板厚に形成してある。８は切裂き部で、該切裂き部８は該屈曲支持片７の上端から開口片切裂き用溝４Ｂに向けて斜め下方に円弧状に突出する形状からなっている。
【００２１】
９は屈曲支持片７の上端から該切裂き部８と逆方向に突出するタブ本体としての指掛け部９で、該指掛け部９は基端側９Ａに対して先端側９Ｂは斜め上方に湾曲して約３ｍｍ高くした形状からなっている。上述の形状からなるプルタブ６は、固定片部７Ａを蓋板４の略中央の位置でリベット１０により固着することにより蓋体３に設けてある。
【００２２】
本実施の形態に係る飲料缶は上述の構成からなるもので、蓋体３の蓋板４は環状縁部５の上端から約７ｍｍ下に位置させ、プルタブ６は約３ｍｍの屈曲支持片７を介して蓋板４から離間し、指掛け部９は基端側９Ａに対して先端側９Ｂを約３ｍｍ高く形成することにより、蓋板４と指掛け部９の先端側９Ｂとの間には約６ｍｍ、指先逃げ部４Ｃを含めると７ｍｍの指先差込空間Ｓが形成してある。これにより、飲用者は指先を指先差込空間Ｓに差し込むことにより指掛け部９の先端側９Ｂに容易に、かつ十分に差し込むことができるから、指先を痛めることもないし、力を入れ易いから子供や高齢者でも容易に飲み口を開けることができる。
【００２３】
しかも、プルタブ６は指掛け部９の先端側９Ｂが蓋体３の環状縁部５内に収まる高さにしてあるから、携帯時にプルタブ６が邪魔になることもないし、周囲の物に引っ掛って不用意に引き起されたりすることもない。
【００２４】
図４乃至図７は第２の実施の形態を示す。なお、第２の実施の形態において、第１の実施の形態の構成要素と同一の構成要素には同一の符号を付して援用し、その説明を省略する。図において、２１はプルタブ型飲料缶、２２は該プルタブ型飲料缶２１（以下、飲料缶２１という。）を構成し、缶本体２の上端側２Ａに嵌合して圧着したアルミニュウム製の蓋体を示す。
【００２５】
２３は該蓋体２２を構成する蓋板で、該蓋板２３は従来の飲料缶と異なって外周縁に溝の無い全面が略平坦な円板からなる。蓋板２３には輪郭が略Ｕ字状をした深さ約０.５ｍｍの液溜用凹陥部２３Ａと、該凹陥部２３Ａ内の先端側に位置させた略卵型の開口片切裂き用溝２３Ｂと、後端側に位置させた深さ約１ｍｍの横長凹状の指先逃げ部２３Ｃと、略中央に位置して高さ約３ｍｍの有蓋角筒状の支持用凸部２３Ｄとが夫々成形してある。
【００２６】
２４は蓋体２２を構成し、蓋板２３の周縁から所定の高さ、約７ｍｍ起立する環状縁部で、該環状縁部２４は上端側２４Ａを偏平の字状に折り曲げて形成してあり、缶本体２の上端側２Ａと係合して締着するシーム部になっている。
上記の構成からなる蓋体２２は、缶本体２の上端側２Ａに嵌合し両上端側２Ａ，２４Ａを係合した状態にして圧着することにより、缶本体２を密封した状態で締着してある。
【００２７】
２５は蓋体２２に鋲着したアルミニュウム製のプルタブを示す。２６は該プルタブ２５を構成する屈曲支持片で、該屈曲支持片２６は平面視で略Ｕ字状の輪郭からなり、湾曲縁には前記支持用凸部２３Ｄに係止する回動防止片２６Ａを下向きに突出形成し、蓋板２３にリベット１０によって鋲着されている。２７は切裂き部で、該切裂き部２７は該屈曲支持片２６の先端から開口片切裂き用溝２３Ｂに向けて斜め下方に円弧状に突出する形状からなっている。
【００２８】
２８は屈曲支持片２６から該切裂き部２７と逆方向に突出するタブ本体としての指掛け部で、該指掛け部２８は基端側２８Ａに対して先端側２８Ｂは斜め上方に湾曲して約３ｍｍ高くした形状からなっている。上述の形状からなるプルタブ２５は、屈曲支持片２６を蓋板２３の略中央に形成した支持用凸部２３Ｄの天面にリベット１０で固着することにより蓋体２２に設けてある。
【００２９】
本実施の形態は上述の構成からなり、蓋板２２に高さ約３ｍｍの支持用凸部２３Ｄを形成し、プルタブ２５の指掛け部２８の先端側２８Ｂを斜め上方に屈曲させて約３ｍｍ高くしたから、蓋体２１とプルタブ２５との間に縦幅約６ｍｍ、指先逃げ部２３Ｃを含めると約７ｍｍの指先差込空間Ｓが形成してある。このように構成することにより、飲用者が指先差込空間Ｓに指先を差し込んでプルタブ２５を引上げる手順及び飲み口を開口させる機能は第１の実施の形態と同じで、容易に確実に開口させることができる。
【符号の説明】
【００３０】
１、２１      プルタブ型飲料缶
２      缶本体
３、２２      蓋体
４、２３      蓋板
２３Ｄ        支持用凸部
６、２５      プルタブ
７、２６      屈曲支持片
８、２７      切裂き部
９、２８      指掛け部
Ｓ      指先差込空間
【図１】
0003186267.tif 000003
【図２】
0003186267.tif 000004
【図３】
0003186267.tif 000005
【図４】
0003186267.tif 000006
【図５】
0003186267.tif 000007
【図６】
0003186267.tif 000008
【図７】
0003186267.tif 000009